(57)【特許請求の範囲】
【請求項１】
一方の部材と他方の部材とを回動自在に連結するヒンジ装置であって、前記一方の部材に取り付けられる第一取付部と、この第一取付部に自転自在に連結され、前記他方の部材に取り付けられる第二取付部とから成り、この第一取付部は、前記一方の部材に連結される連結部材にスライド部材をスライド移動自在に設けて構成され、このスライド部材は付勢体により連結部材の所定位置に付勢保持されており、前記第一取付部のスライド部材に軸受部を設け、このスライド部材に設けた軸受部に連結する軸部を前記第二取付部に設け、この軸部を軸受部に連結して、第一取付部に対して第二取付部を自転自在に設け、前記第一取付部の軸受部を樹脂で形成し、一方、前記第二取付部の軸部を金属で形成し、この第一取付部に設けた軸受部に第二取付部に設けた軸部を圧入連結することで、第一取付部に対する第二取付部の自転に際して樹脂と金属とによる接触抵抗が生じるように構成したことを特徴とするヒンジ装置。
【請求項２】
少なくとも対向部を有する構成とした連結部材の当該対向部間に前記スライド部材を対向方向にスライド移動自在に設け、この少なくとも一方の対向部とスライド部材との間に前記付勢体を設けて、このスライド部材は前記対向部間の所定位置に付勢体により付勢保持されていることを特徴とする請求項１記載のヒンジ装置。
【請求項３】
前記一方の部材と他方の部材とを電気的に接続する導電性を有することを特徴とする請求項１，２のいずれか１項に記載のヒンジ装置。
【発明の詳細な説明】
【０００１】
【発明の属する技術分野】
本発明は、ヒンジ装置に関するものである。
【０００２】
【従来の技術及び発明が解決しようとする課題】
従来から、一方の部材と他方の部材とを回動自在に連結して成る電子機器、例えば折畳式の携帯電話やノート型パソコンなどの本体部とディスプレイ部とを開閉回動自在に枢着するためのヒンジ装置として種々の構造が提案されている。
【０００３】
本出願人は、このヒンジ装置についての実験・研究を重ねた結果、従来にない構造から極めて画期的な作用効果を発揮するヒンジ装置を開発した。
【０００４】
【課題を解決するための手段】
添付図面を参照して本発明の要旨を説明する。
【０００５】
一方の部材１と他方の部材２とを回動自在に連結するヒンジ装置であって、前記一方の部材１に取り付けられる第一取付部３と、この第一取付部３に自転自在に連結され、前記他方の部材２に取り付けられる第二取付部４とから成り、この第一取付部３は、前記一方の部材１に連結される連結部材５にスライド部材６をスライド移動自在に設けて構成され、このスライド部材６は付勢体７により連結部材５の所定位置に付勢保持されており、前記第一取付部３のスライド部材６に軸受部８を設け、このスライド部材６に設けた軸受部８に連結する軸部９を前記第二取付部４に設け、この軸部９を軸受部８に連結して、第一取付部３に対して第二取付部４を自転自在に設け、前記第一取付部３の軸受部８を樹脂で形成し、一方、前記第二取付部４の軸部９を金属で形成し、この第一取付部３に設けた軸受部８に第二取付部４に設けた軸部９を圧入連結することで、第一取付部３に対する第二取付部４の自転に際して樹脂と金属とによる接触抵抗が生じるように構成したことを特徴とするヒンジ装置に係るものである。
【０００６】
また、少なくとも対向部５Ａ，５Ｂを有する構成とした連結部材５の当該対向部５Ａ，５Ｂ間に前記スライド部材６を対向方向にスライド移動自在に設け、この少なくとも一方の対向部とスライド部材６との間に前記付勢体７を設けて、このスライド部材６は前記対向部５Ａ，５Ｂ間の所定位置に付勢体７により付勢保持されていることを特徴とする請求項１記載のヒンジ装置に係るものである。
【０００７】
また、前記一方の部材１と他方の部材２とを電気的に接続する導電性を有することを特徴とする請求項１，２のいずれか１項に記載のヒンジ装置に係るものである。
【０００８】
【発明の実施の形態】
好適と考える本発明の実施の形態（発明をどのように実施するか）を、図面に基づいてその作用効果を示して簡単に説明する。
【０００９】
本発明は、一方の部材１と他方の部材２との回動に際しては、この一方の部材１に取り付けられる第一取付部３に対する他方の部材２に取り付けられる第二取付部４の自転作動により行われる。
【００１０】
ところで、本発明は、第一取付部３は、一方の部材１に連結される連結部材５にスライド部材６をスライド移動自在に設けて構成され、このスライド部材６は付勢体７により連結部材５の所定位置に付勢保持されている。
【００１１】
従って、従来から専ら一方の部材１と他方の部材２とを回動させるだけの機能に留まっていたヒンジ装置にこの回動の他にも別の動き（ずらし動）を加えることができて、ヒンジ装置の用途（機能）を飛躍的に広げることができることになり、しかも、移動したスライド部材６は付勢体７の付勢により所定位置に戻り付勢されることになり、一方の部材１と他方の部材２とを常に最適な状態となる位置関係に保持することができ、そして更に、この付勢体７の戻り付勢を伴うスライド部材６のスライド移動は、例えば一方の部材１と他方の部材２との回動時やずらし移動時などヒンジ装置に加わる衝撃や負荷を良好に吸収することができてヒンジ装置自体の耐久性を飛躍的に向上し、且つ、このヒンジ装置を備える物品の破損も可及的に防止し得ることになる。
【００１２】
また、本発明は、第一取付部３に対する第二取付部４の確実な自転構造となる。
【００１３】
また、本発明は、第一取付部３に対する第二取付部４の自転に際して樹脂と金属との接触抵抗が生じることになり、例えば一方の部材１と他方の部材２とを所望の開放角度で保持するようにしたり、急激に閉じ回動するのを防止したりすることができる。
【００１４】
また、請求項２記載の発明のように構成した場合には、スライド部材６のスライド移動が確実且つ良好に行われることになり、しかも、このスライド部材６のスライド移動（範囲）を連結部材５の対向部５Ａ，５Ｂで確実に規制することができる。
【００１５】
【実施例】
本発明の具体的な実施例について図面に基づいて説明する。
【００１６】
本実施例は、一方の部材１と他方の部材２とを相対回動自在に連結するヒンジ装置Ａを設けたものである。
【００１７】
このヒンジ装置Ａは、一方の部材１に取り付けられる第一取付部３と、この第一取付部３に自転自在に連結され、前記他方の部材２に取り付けられる第二取付部４とで構成されている。
【００１８】
第一取付部３は、一方の部材１に連結される連結部材５にスライド部材６をスライド移動自在に設けて構成されている。
【００１９】
この連結部材５は、図１〜５に図示したように適宜な合成樹脂製の部材を箱状に形成したものであり、具体的には、方形板状の基部５ａの表面対向位置に対向部５Ａ，５Ｂが立ち上がり形成され、この対向部５Ａ，５Ｂの一側の端部間には壁部５Ｃが立ち上がり形成されている。
【００２０】
この壁部５Ｃの内面には凹溝10が形成されており、この凹溝10は、後述するスライド部材６をガイドするガイド溝10として構成されている。
【００２１】
また、このガイド溝10が形成された壁部５Ｃの対向位置にして対向部５Ａ，５Ｂの他側の端部間に金属製の丸棒材11が架設され、この丸棒材11は、後述するスライド部材６をガイドするガイド部材11として構成されている。尚、スライド部材６をガイドする構造としては、対向部５Ａ，５Ｂの両側の端部間にガイド溝10を設けた構造としたり、或いは、ガイド部材11を架設した構造としても良い。
【００２２】
また、対向部５Ａ，５Ｂ夫々の内面には一対の凹部12が形成されており、この凹部12は、後述する付勢体７を位置決め固定する位置決め部12として構成されている。
【００２３】
また、対向部５Ａ，５Ｂ夫々の外面には突部13が形成されており、この突部13は、一方の部材１への連結に際し、該一方の部材１に係止して堅固にするためのものである。
【００２４】
スライド部材６は、図１〜５に図示したように適宜な合成樹脂製の部材をブロック状に形成したものであり、その外表面は適宜な導電性を有する金属製の保護プレート14で被覆されている。
【００２５】
また、スライド部材６は、その一端部に前記連結部材５の壁部５Ｃに設けたガイド溝10に嵌入する嵌入部６ａが設けられ、他端部には、ガイド部材11に被嵌する孔６ｂが設けられている。
【００２６】
従って、スライド部材６は、第一構成部材５に設けたガイド溝10及びガイド部材11にガイドされて図３中ａ方向に対向部５Ａ，５Ｂ間をスライド移動自在となる。
【００２７】
また、スライド部材６は、その側面夫々に一対の突出部15が設けられており、この突出部15は、夫々コイルバネからなる付勢体７の一端部を抜け脱不能状態で被嵌連結し得るように構成されている。この付勢体７の他端部は連結部材５の凹部13に位置決め固定されており、よって、連結部材５の対向部５Ａ，５Ｂと、この対向部５Ａ，５Ｂ間をスライド移動するスライド部材６との間に付勢体７を設けることで、このスライド部材６は連結部材５の所定位置にして対向部５Ａ，５Ｂ間の略中央位置に付勢体７により付勢保持されており、この両脇の付勢体７の付勢力（戻り付勢力）に抗して対向部５Ａ，５Ｂの対向方向にスライド移動自在である。尚、この対向部５Ａ，５Ｂ間におけるスライド部材６の付勢保持位置は付勢体７の強さや長さを変えることにより自在であり、その本数も片側１本でも良く本実施例のように２本に限られるものではない。
【００２８】
また、スライド部材６は、その表面所定位置から裏面にかけて貫通孔６ｃが形成されている。この貫通孔６ｃは、所定径に設定され、後述する第二取付部４の軸部９を圧入嵌挿し得る軸受部８として構成されている。
【００２９】
第二取付部４は、図１〜５に図示したように適宜な導電性を有する金属製の部材を形成したものであり、円柱状の軸部９を有し、この軸部９は、所定径を有して、第一取付部３（スライド部材６）の軸受部８に圧入嵌挿連結し得るように構成されている。
【００３０】
この第二取付部４の軸部９は、スライド部材６の軸受部８に対して図３中ｂ方向に自転自在であり、そして、この金属製の軸部９が樹脂製の軸受部８に圧入されることで、この自転に伴い所定の接触抵抗が生じるように構成されている。この接触抵抗は、例えば一方の部材１に対してある状態から開放方向に回動させた他方の部材２の傾斜状態を保持し得る保持力に設定したり、或いは、他方の部材２が自重により急激に閉じるのではなく徐々に閉じる保持力となるように設定したりすることができる。尚、この接触抵抗は、軸受部８に対する軸部９の圧入度合いの調整や、樹脂の性質（柔らかさ）によって適宜可変し得るもので潤滑油等も不要にすることができ、潤滑油等を塗布することでこの接触抵抗を可及的に減らした構造のものとしても良い。
【００３１】
また、第二取付部４は、第一取付部３に連結した際、スライド部材６の表面に配設された保護プレート14に当接することになり、よって、この第二取付部４及び保護プレート14は導電性を有する金属製の部材で構成されているから、ヒンジ装置Ａ全体が導電性を有することになり、例えばこのヒンジ装置Ａを介して一方の部材１と他方の部材２とを電気的に接続することができることになる。
【００３２】
また、第二取付部４は、その表面に螺子孔４ａが形成されており、この螺子孔４ａに他方の部材２に設けられる雄螺子部を螺着させることで、該他方の部材２に第二取付部４を取り付けられるように構成されている。
【００３３】
本実施例は上述のように構成したから、一方の部材１と他方の部材２との回動に際しては、この一方の部材１に取り付けられる第一取付部３に対する他方の部材２に取り付けられる第二取付部４の所定の接触抵抗を伴った自転作動により行われる。
【００３４】
また、本実施例に係る第一取付部３は、一方の部材１に連結される連結部材５にスライド部材６をスライド移動自在に設けて構成され、このスライド部材６は付勢体７により連結部材５の所定位置（略中央位置）に付勢保持されている。
【００３５】
よって、本実施例によれば、従来から専ら一方の部材１と他方の部材２とを回動させるだけの機能に留まっていたヒンジ装置にこの回動の他にも別の動き（ずらし動）を加えることができて、ヒンジ装置の用途（機能）を飛躍的に広げることができることになり、しかも、移動したスライド部材６は付勢体７の付勢により所定位置に戻り付勢されることになり、一方の部材１と他方の部材２とを常に最適な状態となる位置関係に保持することができ、そして更に、この付勢体７の戻り付勢を伴うスライド部材６のスライド移動は、例えば一方の部材１と他方の部材２との回動時やずらし移動時などヒンジ装置に加わる衝撃や負荷を良好に吸収することができてヒンジ装置自体の耐久性を飛躍的に向上し、且つ、このヒンジ装置を備える物品の破損も可及的に防止し得ることになる。
【００３６】
また、本実施例は、連結部材５の対向部５Ａ，５Ｂ間にスライド部材６を対向方向にスライド移動自在に設け、この対向部５Ａ，５Ｂとスライド部材６との間に付勢体７を設けて、このスライド部材６を対向部５Ａ，５Ｂ間の所定位置に付勢体７により付勢保持されるように構成したから、スライド部材６のスライド移動が確実且つ良好に行われることになり、しかも、このスライド部材６のスライド移動（範囲）を連結部材５の対向部５Ａ，５Ｂで確実に規制することができる。
【００３７】
また、本実施例は、第一取付部３のスライド部材６に軸受部８を設け、このスライド部材６に設けた軸受部８に連結する軸部９を前記第二取付部４に設け、この軸部９を軸受部８に連結して、第一取付部３に対して第二取付部４を自転自在に設けたから、第一取付部３に対する第二取付部４の確実な自転構造となる。
【００３８】
また、本実施例は、第一取付部３に対する第二取付部４の自転に際して樹脂と金属との接触抵抗が生じる構成としたから、例えば一方の部材１と他方の部材２とを所望の開放角度で保持するようにしたり、急激に閉じ回動するのを防止したりすることができる。
【００３９】
尚、本発明は、本実施例に限られるものではなく、各構成要件の具体的構成は適宜設計し得るものである。
【００４０】
【発明の効果】
本発明は上述のように構成したから、従来にない機能を備えることでその用途（機能）を飛躍的に広げることができるなど極めて商品価値の高い画期的なヒンジ装置となる。
【００４１】
また、本発明は、第一取付部に対する第二取付部の確実な自転構造となるなど極めて商品価値の高い画期的なヒンジ装置となる。
【００４２】
また、本発明は、第一取付部に対する第二取付部の自転に際して樹脂と金属との良好な接触抵抗が得られることになるなど極めて商品価値の高い画期的なヒンジ装置となる。
【００４３】
また、請求項２記載の発明においては、前記請求項１記載の発明の作用効果に加え、連結部材に対するスライド部材の確実なスライド構造となるなど極めて商品価値の高い画期的なヒンジ装置となる。
【図面の簡単な説明】
【図１】  本実施例の使用状態説明図である。
【図２】  本実施例に係る要部の説明断面図である。
【図３】  本実施例を示す平面図である。
【図４】  本実施例を示す斜視図である。
【図５】  本実施例を示す斜視図である。
【符号の説明】
１  一方の部材
２  他方の部材
３  第一取付部
４  第二取付部
５  連結部材
５Ａ  対向部
５Ｂ  対向部
６  スライド部材
７  付勢体
８  軸受部
９  軸部
【図１】
0003676295.tif 000002
【図２】
0003676295.tif 000003
【図３】
0003676295.tif 000004
【図４】
0003676295.tif 000005
【図５】
0003676295.tif 000006